(57)【要約】【課題】  刺繍機の多機能化、刺繍柄の多様化に対応し、刺繍柄データの編集作業を容易にする。【解決手段】  本縫いミシンと環縫いミシンとを装備した複合型刺繍機において、操作パネルに表示部３３を設け、表示部３３に刺繍柄データの編集画面４４を表示する。編集画面４４に複数の縫目情報Ｄを一覧表示し、各縫目情報Ｄに縫い始めからの針数情報Ｄｓと機能情報Ｄｆとを設ける。機能情報Ｄｆは、本縫いミシン又は環縫いミシンを指定するグループ情報Ｄｆ１と、縫目の色を指定する色情報Ｄｆ２と、縫目の種類を指定する種類情報Ｄｆ３と、縫目の高さを指定する高さ情報Ｄｆ４とを含む。所要の情報をカーソル４８で選択し、入力キー３９ａ，３９ｂで書き換える。【選択図】        図４
2005102994.tif 000002
【特許請求の範囲】
【請求項１】
刺繍機の操作パネルに表示部を設け、表示部に刺繍柄データの編集画面を表示し、編集画面に複数の縫目情報を一覧表示し、各縫目情報に縫い始めからの針数情報と縫目の色及び縫目の種類を含む複数の機能情報とを設け、操作パネルに縫目情報を書き換える手段を設けたことを特徴とする刺繍機のデータ編集装置。
【請求項２】
縫目情報のうち一つの機能情報が書き換えられたときに、該機能情報に後続する同種の機能情報を同じ内容に一括変換する手段を備えた請求項１記載の刺繍機のデータ編集装置。
【発明の詳細な説明】
【技術分野】
【０００１】
本発明は、刺繍機において、刺繍加工に用いるデータを編集する装置に関するものである。
【背景技術】
【０００２】
従来、図８に示すように、刺繍機の操作パネルに表示部５１を設け、表示部５１に刺繍柄データの編集画面５２を表示し、編集画面５２に複数の縫目情報Ｄを一覧表示する技術が知られている。各縫目情報Ｄには、縫い始めからの針数を示す針数情報Ｄｓと、縫目の色を示す機能情報Ｄｆとが設けられている。そして、機能情報Ｄｆをカーソル５３で選択し、入力キー５４で書き換えるようになっている。
【０００３】
また、特許文献１には、ディスプレイの初期画面上に複数のスイッチ図形を配置し、スイッチ図形のタッチ操作により編集メニューを選択し、選択されたメニューに応じた編集画面をディスプレイに表示し、これらの編集画面上で刺繍柄データの設定・選択処理を行う装置が記載されている。
【特許文献１】特許第２６９６３３８号公報
【発明の開示】
【発明が解決しようとする課題】
【０００４】
ところが、図８に示す従来装置によると、縫目情報が１種類の機能情報しか持たないため、刺繍機の多機能化、刺繍柄の多様化に対応できないという問題点があった。例えば、本縫いミシンと環縫いミシンとを装備した複合型刺繍機において、図３に示すようなコンビネーション刺繍柄を加工する場合に、その刺繍柄データを一つの画面上で編集することができなかった。また、特許文献１に記載された従来装置によると、メニュー毎に編集画面を切り換える必要があるため、刺繍柄データの全体を把握しにくく、加工指示書と見比べて点検したり、変更したりする作業に不便を来した。
【０００５】
本発明の目的は、上記課題を解決し、刺繍機の多機能化、刺繍柄の多様化に対応し、刺繍柄データを容易に編集できる装置を提供することにある。
【課題を解決するための手段】
【０００６】
上記の課題を解決するために、本発明のデータ編集装置は、刺繍機の操作パネルに表示部を設け、表示部に刺繍柄データの編集画面を表示し、編集画面に複数の縫目情報を一覧表示し、各縫目情報に縫い始めからの針数情報と縫目の色及び縫目の種類を含む複数の機能情報とを設け、操作パネルに縫目情報を書き換える手段を設けたことを特徴とする。
【０００７】
ここで、データ編集装置は、特定の刺繍機に限定されず、一台の刺繍ミシンを装備した１頭式刺繍機、複数台の刺繍ミシンを装備した多頭式刺繍機、本縫いミシンのみで編成した本縫い型刺繍機、本縫いミシンと環縫いミシンとで編成した複合型刺繍機等に適用することができる。
【０００８】
刺繍機の操作パネルには、パーソナルコンピュータ又はそれと同等の機能を備えた情報処理装置を使用できる。操作パネルを刺繍機に常設してもよく、携帯可能に構成してもよい。操作パネルの表示部には、ＣＲＴディスプレイ、液晶ディスプレイ、プラズマディスプレイ等を使用できる。縫目情報を書き換える手段としては、キー、マウス、トラックボール、タッチパネル等を例示できる。
【０００９】
縫目情報中の機能情報には、縫目の色、縫目の種類のほかに、ミシンの種類（グループ）、縫目の大きさ（高さ）等の各種機能情報を加えることができる。縫目の色は、本縫いミシンの場合に針棒番号で指定でき、環縫いミシンの場合にルーパー番号で指定できる。縫目の種類には、サテン縫目、ループ縫目、チェーン縫目、シークイン縫い等を指定できる。縫目の大きさには、プレッサー機構を装備した本縫いミシンの針高さ、環縫いミシンによるループ縫目の高さ等を指定できる。
【００１０】
機能情報が頻繁に変わる刺繍柄データの場合は、縫目情報毎に機能情報を逐次書き換える必要がある。しかし、同じ内容の機能情報が連続する刺繍柄データの場合は、書き換え作業を迅速化できる点で、縫目情報のうち一つの機能情報を書き換えたときに、該機能情報に後続する同種の機能情報を同じ内容に一括変換する手段を設けるのが好ましい。
【発明の効果】
【００１１】
本発明に係る刺繍機のデータ編集装置によれば、編集画面に縫目情報を一覧表示し、縫目情報に複数の機能情報を設けたので、刺繍機の多機能化、刺繍柄の多様化に対応し、刺繍柄データを一つの編集画面上で容易に編集できるという効果を奏する。
【発明を実施するための最良の形態】
【００１２】
以下、本発明を具体化した一実施形態を図面に基づいて説明する。図１に示すように、この実施形態の刺繍機１は、コンビネーション刺繍柄（図３参照）を加工できる複合型刺繍機であって、例えば３台の本縫いミシン１１と３台の環縫いミシン２１とを機枠２上に交互に並べて構成されている。機枠２にはテーブル３が支持され、テーブル３の上側に、加工布４を保持する縫製枠５がＸ，Ｙ方向へ移動可能に設けられている。
【００１３】
本縫いミシン１１のヘッド１２には、例えば９本の天秤１３と同数の針棒１４とが配設され、各針棒１４に針１５が取着されている。針１５にはそれぞれ異なる色の上糸が通され、色替え機構（図示略）によって１本の針棒１４を縫製位置に割り出すことで、上糸の色替えが行われる。本縫いミシン１のベッド１６には下糸ボビンを格納した釜１７が設けられ、天秤１３と針１５と釜１７との協働により加工布４にサテン縫目Ｓ（図３参照）が形成される。
【００１４】
環縫いミシン２１のヘッド２２には１本の針棒２３が設けられ、この針棒２３に鉤針２４が取着されている。環縫いミシン２１のベッド２５には、例えば６個のルーパー２６が配設され、各ルーパー２６にそれぞれ異なる色の縫糸が通されている。そして、色替え機構（図示略）により１個のルーパー２６を縫製位置に割り出して縫糸の色替えを行い、鉤針２４とルーパー２６との協働により加工布４にチェーン縫目Ｃ又は高さの異なるループ縫目Ｌ（図３参照）を形成するようになっている。
【００１５】
機枠３の片側には、この刺繍機１により加工されるコンビネーション刺繍柄のデータを編集する装置３１が設置されている。このデータ編集装置３１は、図２に示すように、刺繍機１に常設の操作パネル３２に液晶表示部３３とキー操作部３４とＦＤドライブ装置３５と制御装置３６とを備えている。キー操作部３４には複数の画面切換キー３７、カーソル移動キー３８、入力キー３９等が設けられている。制御装置３６にはＣＰＵ４０、ＲＡＭ４１、ＲＯＭ４２、内部記憶装置４３等が設けられている。そして、ＣＰＵ４０がキー操作部３４からの入力に基づいて液晶表示部３３の表示を制御するようになっている。
【００１６】
画面切換キー３７のうちの編集キー３７ａが操作されたときには、図４に示すように、液晶表示部３３に刺繍柄データの編集画面４４が表示される。編集画面４４には、ＦＤ（フレキシブルディスク）又は内部記憶装置４３から読み出した刺繍柄データの登録番号（＃０２）が表示されるとともに、その刺繍柄データを編集する領域４６が設けられ、この編集領域４６に刺繍柄データを構成する複数の縫目情報Ｄが縦方向に一覧表示されている。編集領域４６の下側には、編集モードにおける入力キー３９ａ，３９ｂ，３９ｃの機能を示す３つのアイコン４７ａ，４７ｂ，４７ｃが設けられている。なお、図４に示した縫目情報Ｄは図３のコンビネーション刺繍柄に対応する。
【００１７】
各縫目情報Ｄは、連続番号Ｄｎと、縫い始めからの針数（ステッチ数）を示す針数情報Ｄｓと、４種類の機能情報Ｄｆとを横方向に並べて構成されている。機能情報Ｄｆには、縫目を形成するミシンのグループ（Ｇ１：本縫いミシン１１、Ｇ２：環縫いミシン２１）を指定するグループ情報Ｄｆ１と、縫目の色を針棒１４の番号（Ｃ０１〜Ｃ０９）又はルーパー２６の番号（Ｃ１〜Ｃ６）で指定する色情報Ｄｆ２と、縫目の種類（Ｓ：サテン縫目、Ｃ：チェーン縫目、Ｌ：ループ縫目）を指定する種類情報Ｄｆ３と、縫目の高さ（ｍｍ）を指定する高さ情報Ｄｆ４とが設けられている。従って、このデータ構成によれば、多機能の複合型刺繍機１において、多様な縫目のコンビネーション刺繍柄のデータを一つの編集画面４４上で容易に編集することができる。
【００１８】
また、編集領域４６にはカーソル４８が表示され、カーソル移動キー３８で上下左右に移動される。そして、変更したい縫目情報Ｄのうちから針数情報Ｄｓ又は機能情報Ｄｆをカーソル４８で選択し、マイナスアイコン４７ａに対応する入力キー３９ａ又はプラスアイコン４７ｂに対応する入力キー３９ｂでその情報を書き換える。書き換え中のデータはＲＡＭ４１に一時的に記憶され、確定アイコン４７ｃに対応する入力キー３９ｃが操作されたときに、ＦＤ又は内部記憶装置４３に記憶される。ＲＯＭ４２にはデータ一括変換機能を備えた編集プログラムが格納され、縫目情報Ｄのうち一つの機能情報Ｄｆが書き換えられたときに、ＣＰＵ４０がその機能情報Ｄｆに後続する同種の機能情報Ｄｆを同じ内容に一括変換する。
【００１９】
例えば、図５に示すように、「００５」の縫目情報Ｄにおいて、グループ情報Ｄｆ１を「Ｇ２」に書き換えたときには、これに後続するすべてのグループ情報が「Ｇ２」に一括変換される。「０１０」の縫目情報Ｄにおいて、色情報Ｄｆ２を「Ｃ２」に書き換えたときには、これに後続するすべての色情報が「Ｃ２」に一括変換される。「０１５」の縫目情報Ｄにおいて、種類情報Ｄｆ３を「Ｌ」に、高さ情報Ｄｆ４を「５」に書き換えたときには、これに後続するすべての種類情報が「Ｌ」に、高さ情報が「５」に一括変換される。従って、特に同じ内容の機能情報Ｄｆが連続しやすいコンビネーション刺繍柄データの場合に、その編集作業を迅速に行うことができる。
【００２０】
本発明は前記実施形態に限定されるものではなく、例えば以下のように、発明の趣旨から逸脱しない範囲で適宜変更して具体化することもできる。
（１）図６に示すように、機能情報Ｄｆにおいて、グループ情報と色情報とを一つの組合せ情報Ｄｆ５で表示する。例えば、組合せ情報「ＧＣ１」は、図４の「Ｇ２＋Ｃ１」と同義であり、環縫いミシン２１でルーパー番号１に指定された色の縫糸を使用する情報を表す。本縫いミシン１１の場合は、「Ｇ」を省き、「Ｃ０１」（図４の「Ｇ１＋Ｃ０１」と同義）でグループ情報と色情報とを表すことができる。
（２）図７に示すように、マウスによるＧＵＩ（グラフィカル・ユーザー・インタフェース）を備えたデータ編集装置において、一つの機能情報「Ｃ０１」を選択したときに、同種のすべての機能情報「Ｃ０１〜Ｃ０９」を一覧表示し、そのうち一つ「Ｃ０７」をマウスポインタ４９で選んで書き換える。
【図面の簡単な説明】
【００２１】
【図１】本発明の一実施形態を示す複合型刺繍機の正面図である。
【図２】図１の刺繍機のデータ編集装置を示す正面図である。
【図３】コンビネーション刺繍柄を示す模式図である。
【図４】図２の編集装置の編集画面を示す正面図である。
【図５】図２の編集装置の作用説明図である。
【図６】編集画面の変更例を示す正面図である。
【図７】編集画面の別の変更例を示す正面図である。
【図８】従来のデータ編集装置の編集画面を示す正面図である。
【符号の説明】
【００２２】
１    刺繍機
１１    本縫いミシン
２１    環縫いミシン
３１    データ編集装置
３２    操作パネル
３３    液晶表示部
３４    キー操作部
３６    制御装置
３９    入力キー
４０    ＣＰＵ
４４    編集画面
Ｄ    縫目情報
Ｄｓ  針数情報
Ｄｆ  機能情報
【図１】
2005102994.tif 000003
【図２】
2005102994.tif 000004
【図３】
2005102994.tif 000005
【図４】
2005102994.tif 000006
【図５】
2005102994.tif 000007
【図６】
2005102994.tif 000008
【図７】
2005102994.tif 000009
【図８】
2005102994.tif 000010